(57)【要約】【課題】  本発明の課題は、備えられる画像変換部で読み取った画像を操作者が望む画像形式に変換できない場合、接続された画像データの変換が可能な画像変換装置で画像データの変換を行い、変換された画像データを着脱可能なメモリ装置に記憶させることができる画像処理装置を提供することにある。【解決手段】  本発明は、読み取り部で読み取った画像データを、操作者が指定した画像形式に画像処理装置の画像変換部で画像変換できない場合であっても、画像データと画像変換要求情報とを出力することで、画像変換を行わせることができる。そして、変換された変換画像データを着脱可能なメモリ装置に記憶させることができる。【選択図】図１
2008067283.tif 000002
【特許請求の範囲】
【請求項１】
読み取った画像を変換する画像処理装置であって、
画像を読み取って前記画像データを取得する読み取り部と、
前記読み取り部で読み取られた前記画像データを変換するための画像形式を設定する画像形式設定部と、
前記画像形式設定部により設定された前記画像形式に基づいて前記読み取り部により読み取られた画像データを変換する画像変換部と、
設定された前記画像形式への画像変換の可否を判定する画像形式可否判定部と、
前記画像データ、及び、前記画像データを設定した前記画像形式へと変換するように要求する画像変換要求情報とを出力する画像情報出力部と、
当該画像処理装置に対して着脱可能に装着されるメモリ装置と、
前記画像データが設定された前記画像形式に変換されてなる変換画像データを前記メモリ装置に記憶する記憶制御部とを有し、
前記画像情報出力部は、前記画像変換可否判断部により前記画像データを設定された前記画像形式に変換できないと判定された場合、前記画像データと前記画像変換要求情報とを出力し、
前記記憶制御部は、前記画像変換要求情報を受けて前記画像データから変換され、入力された前記変換画像データを前記メモリ装置に記憶することを特徴とする画像処理装置。
【請求項２】
前記画像変換要求を受けて前記画像データを変換し、予め当該画像処理装置に接続されている外部の画像変換装置に対し、該画像変換装置で変換可能な画像形式の情報を取得する画像形式取得部をさらに有し、
前記画像変換可否判定部は、前記画像変換部で変換可能な画像形式の情報を取得し、
前記画像形式設定部は、前記画像変換可否判定部で取得した画像形式の情報と、前記画像形式取得部で取得した画像形式の情報との何れかから、前記画像データを変換する画像形式を設定することを特徴とする請求項１に記載の画像処理装置。
【請求項３】
前記メモリ装置の空き記憶容量を検出する容量検出部をさらに有し、
前記画像変換部は、前記容量検出部で検出された前記メモリ装置の前記空き記憶容量よりも小さい容量となるように、前記読み取り部で読み取った前記画像データを変換することを特徴とする請求項１に記載の画像処理装置。
【請求項４】
前記画像情報出力部は、前記読み取り部で読み取った前記画像データを前記画像変換要求情報とともに出力する場合、前記容量検出部で検出された前記空き記憶容量の情報を併せて出力し、
前記記憶制御部は、前記容量検出部で検出された前記メモリ装置の前記空き記憶容量よりも小さい容量となるように変換されて、入力された前記変換画像データを前記メモリ装置に記憶させることを特徴とする請求項３に記載の画像処理装置。
【請求項５】
前記画像変換部は、前記読み取り部で読み取った前記画像データを前記画像変換部で変換する前に、前記画像データを前記画像変換部で変換可能な画像形式に変換した場合の画像容量を計測し、
前記画像情報出力部は、前記画像データとともに、前記画像データを前記外部の画像変換装置で変換可能な画像形式に変換した場合の画像容量の情報を入力させる画像容量計測要求の情報を出力し、前記画像変換部で計測された前記画像容量の情報及び前記画像容量計測要求を受けて入力された前記画像容量の情報が、前記画像変換可否判定部で取得した画像形式の情報及び前記画像形式取得部で取得した画像形式の情報に対応するように表示され、表示された画像形式の情報の何れかから、前記画像データを変換する画像形式を設定することを特徴とする請求項２に記載の画像処理装置。
【発明の詳細な説明】
【技術分野】
【０００１】
本発明は、読み取りした画像データを、指定された画像形式に変換して、装置に着脱可能なメモリ装置に記憶する画像処理装置に関するものである。
【背景技術】
【０００２】
種々のアプリケーションデータを印刷する場合、画像処理装置の着脱可能なメモリ装置に備えられている解釈プログラムでは、アプリケーションデータのファイルを解釈することができない場合、外部からアプリケーションデータのファイルを解釈するための解釈プログラムを取得するものがあった（例えば、特許文献１参照）。
【０００３】
【特許文献１】特開２００５−３１６５５６号公報
【発明の開示】
【発明が解決しようとする課題】
【０００４】
しかしながら、画像処理装置で操作者が望む画像形式に読み取った画像データを変換して、画像処理装置に着脱可能なメモリ装置に記憶する場合、操作者が望む画像形式への画像変換が当該画像処理装置で行えない場合、画像データの変換処理が行えないという問題があった。
【０００５】
そこで、本発明は、備えられる画像変換部で読み取った画像を操作者が望む画像形式に変換できない場合、接続された画像データの変換が可能な画像変換装置で画像データの変換を行い、変換された画像データを着脱可能なメモリ装置に記憶させることができる画像処理装置を提供することを目的とする。
【課題を解決するための手段】
【０００６】
本発明の画像処理装置は、読み取った画像を変換する画像処理装置であって、画像を読み取って前記画像データを取得する読み取り部と、前記読み取り部で読み取られた前記画像データを変換するための画像形式を設定する画像形式設定部と、前記画像形式設定部により設定された前記画像形式に基づいて前記読み取り部により読み取られた画像データを変換する画像変換部と、設定された前記画像形式への画像変換の可否を判定する画像形式可否判定部と、前記画像データ、及び、前記画像データを設定した前記画像形式へと変換するように要求する画像変換要求情報とを出力する画像情報出力部と、当該画像処理装置に対して着脱可能に装着されるメモリ装置と、前記画像データが設定された前記画像形式に変換されてなる変換画像データを前記メモリ装置に記憶する記憶制御部とを有し、前記画像情報出力部は、前記画像変換可否判断部により前記画像データを設定された前記画像形式に変換できないと判定された場合、前記画像データと前記画像変換要求情報とを出力し、前記記憶制御部は、前記画像変換要求情報を受けて前記画像データから変換され、入力された前記変換画像データを前記メモリ装置に記憶することを特徴とする。
【発明の効果】
【０００７】
本発明の画像処理装置は、読み取り部で読み取った画像データを、操作者が指定した画像形式に画像処理装置の画像変換部で画像変換できない場合であっても、画像データと画像変換要求情報とを出力することで、画像変換を行わせることができる。そして、変換された変換画像データを着脱可能なメモリ装置に記憶させることができる。
【発明を実施するための最良の形態】
【０００８】
以下、本発明の画像処理装置について図面を参照しながら説明する。なお、本発明の画像処理装置は、以下の記述に限定されるものではなく、本発明の要旨を逸脱しない範囲において、適宜変更可能である。
【０００９】
［実施の形態１］
本発明の画像処理装置１００には、例えば図１のように、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、及び／又はインターネット等の所定のネットワーク３００を介して、第１の画像変換装置３０１が接続されている。また、画像処理装置１００は、インタフェースに接続されたＵＳＢ（Ｕｎｉｖｅｒｓａｌ  Ｓｅｒｉａｌ  Ｂｕｓ）２００を介して、第２の画像変換装置２０１が接続されている。
【００１０】
画像処理装置１００は、紙などの媒体に形成された画像を読み取って画像データを取得する読み取り部１０１と、読み取り部１０１で読み取った画像データを記憶する記憶部１０２と、ネットワーク３００に接続するための制御を行うＮＩＣ（Ｎｅｔｗｏｒｋ  Ｉｔｅｒｆａｃｅ  Ｃａｒｄ）部１０３と、読み取り部１０１の操作を指示し、読み取った画像データを変換するための画像形式を指定する例えばタッチパネル等の画像形式設定部としての操作部１０４と、読み取った画像データを操作部１０４で指定された画像形式に変換する画像変換部１０５と、操作部１０４で指定された画像形式への変換が可能であるか否かを判定する画像変換可否判定部１０６と、画像変換部１０５で指定された画像形式への変換ができない場合に外部の第１の画像変換装置３０１、第２の画像変換装置２０１に画像変換要求としての画像変換の指示を行う画像情報出力部としての外部変換指示部１０７と、変換された変換画像データを記憶する着脱可能なＵＳＢメモリ等のメモリ装置１０９と、第２の画像変換装置２０１を接続するＵＳＢ２００が接続されるインタフェース及びメモリ装置１０９が装着されるインタフェースを制御し、記憶制御部としての外部Ｉ／Ｆ部１０８とを有している。
【００１１】
画像処理装置１００の外部の画像変換装置として接続される第１の画像変換装置３０１と第２の画像変換装置２０１は、画像処理装置１００との接続形態が異なるだけで略同じ構成を有している。この第１の画像変換装置３０１は、画像処理装置１００から送信されてきた画像データを、画像処理装置１００の操作部１０４で指定された画像形式に変換する画像変換部３０２と、ネットワーク３００に接続するための制御を行うＮＩＣ部３０３とを有している。そして、第２の画像変換装置２０１は、画像処理装置１００の操作部１０４で指定された画像形式に変換する画像変換部２０２と、ＵＳＢ２００が接続されるインタフェースの制御を行うＩ／Ｆ部２０３とを有している。
【００１２】
このような画像処理装置１００は、画像が形成された媒体を読み取り部１０１で読み取る場合、媒体が読み取り部１０１にセットされ、操作部１０４で、読み取った画像データを変換するための画像形式を指定した後、読み取り部１０１で媒体上の画像を読み取るように指示が出される。そして、画像処理装置１００は、読み取り部１０１で画像を読み取った画像データを、画像処理装置１００の画像変換部１０５、第１の画像変換装置３０１の画像変換部３０２、又は、第２の画像変換装置２０１の画像変換部２０２で操作部１０４で指定された画像形式に変換させる。指定された画像形式に変換された後、画像処理装置１００は、変換画像データを外部Ｉ／Ｆ部１０８によりメモリ装置１０９に記憶させる。
【００１３】
このとき、画像処理装置１００は、第１の画像変換装置３０１、第２の画像変換装置２０１で画像データの変換を行う場合、第１の画像変換装置３０１又は第２の画像変換装置２０１との間でデータの送受信が行われる。すなわち、画像処理装置１００は、読み取り部１０１で読み取った画像データ、及び、操作部１０４で指定した画像形式の情報とを、ネットワーク３００を介して、第１の画像変換装置３０１に送信し、ＵＳＢ２００を介して、第２の画像変換装置２０１に送信する。また、画像処理装置１００は、第１の画像変換装置３０１、又は、第２の画像変換装置２０１から、操作部１０４で指定された画像形式の情報に基づいて変換された変換画像データを受信する。具体的には、画像処理装置１００は、図２乃至図４に示すような一連の手順に従って、読み取った画像データを変換し、メモリ装置１０９に記憶させる。
【００１４】
まず、画像処理装置１００には、所定の画像が形成された用紙などの媒体が読み取り部１０１にセットされる。そして、画像処理装置１００は、図２のように、ステップＳ１０１において、操作部１０４での操作で、画像変換部で画像データを変換する場合の画像形式を画像処理装置１００を操作する操作者に指定させる。
【００１５】
画像形式が指定された後、操作部１０４は、ステップＳ１０２において、読み取り部１０１にセットされている媒体に形成されている画像を読み取るように、読み取り指示を出す。
【００１６】
この読み取り指示を受けて、読み取り部１０１は、ステップＳ１０３において、媒体に形成されている画像を読み取り、画像データとする。そして、読み取り部１０１は、読み取った画像データを記憶部１０２に記憶させる。
【００１７】
記憶部１０２に読み取った画像データが記憶された後、操作部１０４は、ステップＳ１０４において、指定した画像形式の情報を画像変換可否判定部１０６に渡し、画像処理装置１００の画像変換部１０５で、指定された画像形式への変換が可能であるかを問い合わせる。
【００１８】
操作部１０４からの問い合わせを受けた後、画像変換可否判定部１０６は、ステップＳ１０５において、受け取った画像形式の情報に基づいて、画像処理装置１００の画像変換部１０５で、指定された画像形式への変換が可能であるかを判定する。
【００１９】
ステップＳ１０５において、画像変換可否判定部１０６が指定された画像形式への画像変換が可能である場合、画像変換可否判定部１０６が操作部１０４から受け取った画像形式の情報を画像変換部１０５に渡す。そして、画像変換部１０５は、記憶部１０２に記憶された画像データを読み出す。画像データと画像形式の情報とを受け取った画像変換部１０５は、ステップＳ１０６において、画像形式の情報に基づいて、画像データを変換し、変換画像データを形成する。
【００２０】
画像データが変換画像データに変換された後、画像処理装置１００は、ステップＳ１０７において、外部Ｉ／Ｆ部１０８の制御によりメモリ装置１０９に変換画像データを記憶させ、この処理を終了する。
【００２１】
ステップＳ１０５において、指定された画像形式への画像変換が画像処理装置１００で不可能である場合、操作部１０４から受け取った画像形式の情報を外部変換指示部１０７に渡す。画像形式の情報を受け取った外部変換指示部１０７は、ステップＳ１０８において、ネットワーク３００を介して接続されている第１の画像変換装置３０１の画像変換部３０２で、指定された画像形式への変換が可能であるかを問い合わせる。
【００２２】
外部変換指示部１０７からの問い合わせを受けた後、外部変換指示部１０７は、ステップＳ１０９において、第１の画像変換装置３０１の画像変換部３０２で、指定された画像形式への変換が可能であるかを判定する。
【００２３】
ステップＳ１０９において、第１の画像変換装置３０１で指定された画像形式への画像変換が可能である場合、外部変換指示部１０７は、記憶部１０２に記憶された画像データを受け取る。そして、外部変換指示部１０７は、ステップＳ１１０において、ネットワーク３００を介して、画像データと画像形式の情報とを第１の画像変換装置３０１に送信し、画像データの変換の指示をする。
【００２４】
後述するように、第１の画像変換装置３０１で画像データが変換されると、画像処理装置１００は、ステップＳ１１１において、第１の画像変換装置３０１から変換画像データを受信する。
【００２５】
変換された画像データである変換画像データを受信した後、画像処理装置１００は、ステップＳ１０７において、外部Ｉ／Ｆ部１０８の制御によりメモリ装置１０９に変換画像データを記憶させ、この処理を終了する。
【００２６】
ステップＳ１０９において、第１の画像変換装置３０１で指定された画像形式への画像変換が不可能である場合、外部変換指示部１０７は、ステップＳ１１２において、ＵＳＢ２００を介して接続されている第２の画像変換装置２０１の画像変換部２０２で、指定された画像形式への変換が可能であるかを問い合わせる。
【００２７】
外部変換指示部１０７からの問い合わせを受けた後、外部変換指示部１０７は、ステップＳ１１３において、第２の画像変換装置２０１の画像変換部２０２で、指定された画像形式への変換が可能であるかを判定する。
【００２８】
ステップＳ１１３において、指定された画像形式への画像変換が第２の画像変換装置２０１で可能である場合、外部変換指示部１０７は、記憶部１０２に記憶された画像データを受け取る。そして、外部変換指示部１０７は、ステップＳ１１４において、ＵＳＢ２００を介して、画像データと画像形式の情報とを第２の画像変換装置２０１に送信し、画像データの変換の指示をする。
【００２９】
後述するように、第２の画像変換装置２０１で画像データが変換されると、画像処理装置１００は、ステップＳ１１５において、第２の画像変換装置２０１から変換画像データを受信する。
【００３０】
変換された画像データである変換画像データを受信した後、画像処理装置１００は、ステップＳ１０７において、外部Ｉ／Ｆ部１０８の制御によりメモリ装置１０９に変換画像データを記憶させ、この処理を終了する。
【００３１】
ステップＳ１１３において、指定された画像形式への画像変換が第２の画像変換装置２０１で不可能である場合、画像処理装置１００、第１の画像変換装置３０１及び第２の画像変換装置２０１での変換が不可能であることを示し、外部変換指示部１０７は、その旨を操作部１０４に伝達する。この場合、操作部１０４は、ステップＳ１１６のように、エラーを表示し、画像処理装置１００の操作者にその旨を伝達し、この処理を終了する。
【００３２】
実施の形態１の画像処理装置１００に接続されている第１の画像変換装置３０１は、図３のような手順を従って、画像データの変換が行われる。
【００３３】
第１の画像変換装置３０１は、ステップＳ２０１において、画像変換の指示を受信したか否かを判断し、画像変換の指示を受け取るまで待機している。
【００３４】
画像処理装置１００の外部変換指示部１０７から画像データと画像形式の情報とを受信し、画像変換の指示を受けると、第１の画像変換装置３０１の画像変換部３０２は、ステップＳ２０２において、受信した画像形式の情報に基づいて、画像処理装置１００で指定された画像形式となるように、受信した画像データから変換画像データに変換する。
【００３５】
画像データが変換されると、第１の画像変換装置３０１は、ステップＳ２０３において、ネットワーク３００を介して、変換画像データを画像処理装置１００に送信し、この処理を終了する。
【００３６】
実施の形態１の画像処理装置１００に接続されている第２の画像変換装置２０１は、図４のような手順を従って、画像データの変換が行われる。
【００３７】
第２の画像変換装置２０１は、ステップＳ３０１において、画像変換の指示を受信したか否かを判断し、画像変換の指示を受け取るまで待機している。
【００３８】
画像処理装置１００の外部変換指示部１０７から画像データと画像形式の情報とを受信し、画像変換の指示を受けると、第２の画像変換装置２０１の画像変換部２０２は、ステップＳ３０２において、受信した画像形式の情報に基づいて、画像処理装置１００で指定された画像形式となるように、受信した画像データから変換画像データに変換する。
【００３９】
画像データが変換されると、第２の画像変換装置２０１は、ステップＳ３０３において、ＵＳＢ２００を介して、変換画像データを画像処理装置１００に送信し、この処理を終了する。
【００４０】
このように、実施の形態１で説明した画像処理装置１００は、読み取り部１０１で読み取った画像データを、操作者が指定した画像形式に画像変換できない場合であっても、画像処理装置１００に接続された外部の画像変換装置で画像変換させることができる。そして、画像変換装置で変換された変換画像データを着脱可能なメモリ装置に記憶させることができる。
【００４１】
［実施の形態２］
実施の形態２で説明する画像処理装置１００は、図５のように、実施の形態１で説明した画像処理装置に画像形式取得部１１０をさらに備えたものである。なお、実施の形態１と重複する部材については、同じ番号を付して説明を省略する。
【００４２】
画像形式取得部１１０は、画像処理装置１００と接続された第１の画像変換装置３０１の画像変換部３０２と第２の画像変換装置２０１の画像変換部２０２とで画像データを変換することができる画像形式の情報を、第１の画像変換装置３０１と第２の画像変換装置２０１から取得する。取得した画像形式の情報は、記憶部１０２に記憶される。具体的に、画像形式取得部１１０を有する画像処理装置１００は、図６に示すような手順に従って、画像形式の情報を取得する。
【００４３】
画像形式の情報を取得する場合、まず、画像処理装置１００の操作部１０４は、ステップＳ４０１において、画像変換可否判定部１０６に画像データを変換できる画像形式の情報を取得するように依頼する。
【００４４】
画像形式の情報の取得依頼を受けた画像変換可否判定部１０６は、ステップＳ４０２において、画像処理装置１００の画像変換部１０５で変換できる画像形式の情報を取得する。そして、画像変換可否判定部１０６は、取得した画像形式の情報を、画像処理装置１００で変換できる画像形式として記憶部１０２に記憶させる。
【００４５】
次に、画像変換可否判定部１０６は、ステップＳ４０３において、画像形式取得部１１０に画像処理装置１００に接続されている第１の画像変換装置３０１と第２の画像変換装置２０１とから、それぞれの画像変換部３０２、２０２で画像データを変換できる画像形式の情報を取得するように依頼する。
【００４６】
画像形式の情報の取得依頼を受けた画像形式取得部１１０は、第１の画像変換装置３０１に画像変換部３０２で変換できる画像形式の情報を送信するように指示を出す。そして、画像形式取得部１１０は、ステップＳ４０４において、第１の画像変換装置３０１の画像変換部３０２で変換できる画像形式の情報を取得する。そして、画像形式取得部１１０は、取得した画像形式の情報を、画像処理装置１００で変換できる画像形式として記憶部１０２に記憶させる。
【００４７】
そして、画像形式取得部１１０は、第２の画像変換装置２０１に画像変換部２０２で変換できる画像形式の情報を送信するように指示を出す。そして、画像形式取得部１１０は、ステップＳ４０４において、第２の画像変換装置２０１の画像変換部２０２で変換できる画像形式の情報を取得する。そして、画像形式取得部１１０は、取得した画像形式の情報を、画像処理装置１００で変換できる画像形式として記憶部１０２に記憶させる。
【００４８】
このように、実施の形態２で説明する画像処理装置１００は、画像データの所定の画像形式に変換する前に、操作部１０４によって、画像形式を取得することができる。このような画像処理装置１００は、図７に示すような手順に従って、読み取った画像データを変換し、メモリ装置１０９に記憶させる。
【００４９】
まず、画像処理装置１００には、所定の画像が形成された用紙などの媒体が読み取り部１０１にセットされる。そして、画像処理装置１００には、上述のように画像処理装置１００、第１の画像変換装置３０１、又は、第２の画像変換装置２０１で変換できる画像形式が記憶部１０２に記憶されている。画像処理装置１００は、図７のように、ステップＳ５０１において、操作部１０４での操作で、記憶部１０２に記憶されている変換できる画像形式の情報に基づいて、変換可能な画像形式を操作部１０４に表示させる。そして、操作部１０４での操作で、表示された変換可能な画像形式から画像変換部で画像データを変換する場合の画像形式を画像処理装置１００を操作する操作者に指定させる。
【００５０】
画像形式が指定された後、操作部１０４は、ステップＳ５０２において、読み取り部１０１にセットされている媒体に形成されている画像を読み取るように、読み取り指示を出す。
【００５１】
この読み取り指示を受けて、読み取り部１０１は、ステップＳ５０３において、媒体に形成されている画像を読み取り、画像データとする。そして、読み取り部１０１は、読み取った画像データを記憶部１０２に記憶させる。
【００５２】
記憶部１０２に読み取った画像データが記憶された後、操作部１０４は、ステップＳ５０４において、指定した画像形式の情報を画像変換可否判定部１０６に渡し、指定された画像形式への変換を指示する。
【００５３】
操作部１０４から画像データの変換の指示を受けた後、画像変換可否判定部１０６は、ステップＳ５０５において、受け取った画像形式の情報に基づいて、画像処理装置１００の画像変換部１０５で、指定された画像形式への変換が可能であるかを判定する。
【００５４】
ステップＳ５０５において、画像変換可否判定部１０６が指定された画像形式への画像変換が可能である場合、画像変換可否判定部１０６が操作部１０４から受け取った画像形式の情報を画像変換部１０５に渡す。そして、画像変換部１０５は、記憶部１０２に記憶された画像データを読み出す。画像データと画像形式の情報とを受け取った画像変換部１０５は、ステップＳ５０６において、画像形式の情報に基づいて、画像データを変換し、変換画像データを形成する。
【００５５】
画像データが変換画像データに変換された後、画像処理装置１００は、ステップＳ５０７において、外部Ｉ／Ｆ部１０８の制御によりメモリ装置１０９に変換画像データを記憶させ、この処理を終了する。
【００５６】
ステップＳ５０５において、指定された画像形式への画像変換が画像処理装置１００で不可能である場合、操作部１０４から受け取った画像形式の情報を外部変換指示部１０７に渡す。画像形式の情報を受け取った外部変換指示部１０７は、ステップＳ５０８において、第１の画像変換装置３０１の画像変換部３０２で、指定された画像形式への変換が可能であるかを判定する。
【００５７】
ステップＳ５０８において、第１の画像変換装置３０１で指定された画像形式への画像変換が可能である場合、外部変換指示部１０７は、記憶部１０２に記憶された画像データを受け取る。そして、外部変換指示部１０７は、ステップＳ５０９において、ネットワーク３００を介して、画像データと画像形式の情報とを第１の画像変換装置３０１に送信し、画像データの変換の指示をする。
【００５８】
後述するように、第１の画像変換装置３０１で画像データが変換されると、画像処理装置１００は、ステップＳ５１０において、第１の画像変換装置３０１から変換画像データを受信する。
【００５９】
変換された画像データである変換画像データを受信した後、画像処理装置１００は、ステップＳ５０７において、外部Ｉ／Ｆ部１０８の制御によりメモリ装置１０９に変換画像データを記憶させ、この処理を終了する。
【００６０】
ステップＳ５０８において、第１の画像変換装置３０１で指定された画像形式への画像変換が不可能である場合、外部変換指示部１０７は、ステップＳ５１１において、第２の画像変換装置２０１の画像変換部２０２で、指定された画像形式への変換が可能であるかを判定する。
【００６１】
ステップＳ５１１において、指定された画像形式への画像変換が第２の画像変換装置２０１で可能である場合、外部変換指示部１０７は、記憶部１０２に記憶された画像データを受け取る。そして、外部変換指示部１０７は、ステップＳ５１２において、ＵＳＢ２００を介して、画像データと画像形式の情報とを第２の画像変換装置２０１に送信し、画像データの変換の指示をする。
【００６２】
後述するように、第２の画像変換装置２０１で画像データが変換されると、画像処理装置１００は、ステップＳ５１３において、第１の画像変換装置３０１から変換画像データを受信する。
【００６３】
変換された画像データである変換画像データを受信した後、画像処理装置１００は、ステップＳ５０７において、外部Ｉ／Ｆ部１０８の制御によりメモリ装置１０９に変換画像データを記憶させ、この処理を終了する。
【００６４】
実施の形態２の画像処理装置１００に接続されている第１の画像変換装置３０１は、画像処理装置１００から指示を受けると、図８のような手順を従って、変換可能な画像形式の情報の送信、又は、画像データの変換が行われる。
【００６５】
第１の画像変換装置３０１は、画像処理装置１００から指示を受けると、ステップＳ６０１において、受信した指示が、画像処理装置１００の画像形式取得部１１０からの変換可能な画像形式の情報の送信指示であるか否かを判断する。
【００６６】
ステップＳ６０１において、送信指示である場合、第１の画像変換装置３０１は、画像変換部３０２で変換できる画像形式を確認する。そして、第１の画像変換装置３０１は、ステップＳ６０２において、画像変換部３０２で変換できる画像形式の情報を画像処理装置１００に送信し、この処理を終了する。
【００６７】
ステップＳ６０１において、送信指示を受信していない場合、第１の画像変換装置３０１は、ステップＳ６０３において、受信した指示が、画像処理装置１００の外部変換指示部１０７からの画像変換の指示であるか否かを判断する。画像変換の指示でない場合、この処理を終了する。
【００６８】
ステップＳ６０３において、画像変換の指示である場合、第１の画像変換装置３０１は、画像データと画像形式の情報とを画像変換の指示とともに受信している。そして、画像変換部３０２は、ステップＳ６０４において、受信した画像形式の情報に基づいて、画像処理装置１００で指定された画像形式となるように、受信した画像データから変換画像データに変換する。
【００６９】
画像データが変換されると、第１の画像変換装置３０１は、ステップＳ６０５において、ネットワーク３００を介して、変換画像データを画像処理装置１００に送信し、この処理を終了する。
【００７０】
実施の形態２の画像処理装置１００に接続されている第２の画像変換装置２０１は、画像処理装置１００から指示を受けると、図９のような手順を従って、変換可能な画像形式の情報の送信、又は、画像データの変換が行われる。
【００７１】
第２の画像変換装置２０１は、画像処理装置１００から指示を受けると、ステップＳ７０１において、受信した指示が、画像処理装置１００の画像形式取得部１１０からの変換可能な画像形式の情報の送信指示であるか否かを判断する。
【００７２】
ステップＳ７０１において、送信指示である場合、第２の画像変換装置２０１は、画像変換部２０２で変換できる画像形式を確認する。そして、第２の画像変換装置２０１は、ステップＳ７０２において、画像変換部２０２で変換できる画像形式の情報を画像処理装置１００に送信し、この処理を終了する。
【００７３】
ステップＳ７０１において、送信指示を受信していない場合、第２の画像変換装置２０１は、ステップＳ７０３において、受信した指示が、画像処理装置１００の外部変換指示部１０７からの画像変換の指示であるか否かを判断する。画像変換の指示でない場合、この処理を終了する。
【００７４】
ステップＳ７０３において、画像変換の指示である場合、第２の画像変換装置２０１画像データと画像形式の情報とを画像変換の指示とともに受信している。そして、画像変換部２０２は、ステップＳ７０４において、受信した画像形式の情報に基づいて、画像処理装置１００で指定された画像形式となるように、受信した画像データから変換画像データに変換する。
【００７５】
画像データが変換されると、第２の画像変換装置２０１は、ステップＳ７０５において、ＵＳＢ２００を介して、変換画像データを画像処理装置１００に送信し、この処理を終了する。
【００７６】
このように、実施の形態２で説明した画像処理装置１００は、画像形式取得部１１０を備えることで、画像処理装置１００、第１の画像変換装置３０１、第２の画像変換装置２０１で変換できる画像形式が取得でき、操作部１０４によって画像形式が選択可能となる。これにより、画像処理装置１００、第１の画像変換装置３０１、第２の画像変換装置２０１のいずれの装置においても変換できない画像形式を選択することがなく、エラーを表示させることなく、操作性が向上する。
【００７７】
［実施の形態３］
実施の形態３で説明する画像処理装置１００は、図１０のように、実施の形態２で説明した画像処理装置に容量検出部１１１さらに備えたものである。なお、実施の形態２と重複する部材については、同じ番号を付して説明を省略する。
【００７８】
容量検出部１１１は、画像処理装置１００に備えられるメモリ装置１０９の使用可能な空き記憶容量を検出する。この空き記憶容量の情報は、画像変換部１０５、第１の画像変換装置３０１、又は、第２の画像変換装置２０１に通知される。空き記憶容量の情報が通知された画像変換部１０５、第１の画像変換装置３０１、又は、第２の画像変換装置２０１は、指定された画像形式への変換において、通知された空き記憶容量の情報に見合う容量となるように画像データを変換する。例えば、通常の変換では通知された空き記憶容量よりも容量が大きくなってしまう場合、通知された空き記憶容量の情報に基づいて、画像データの解像度を低くしたり、色数を減らしたりといった処理によって変換画像データの容量をより小さくする変換を行う。具体的に、容量検出部１１１を有する画像処理装置１００は、図１１に示すような手順に従って、読み取った画像データを変換し、メモリ装置１０９に記憶させる。
【００７９】
まず、画像処理装置１００には、所定の画像が形成された用紙などの媒体が読み取り部１０１にセットされる。そして、画像処理装置１００には、実施の形態２の画像処理装置で説明した図６のような手順により、画像処理装置１００、第１の画像変換装置３０１、又は、第２の画像変換装置２０１で変換できる画像形式が記憶部１０２に記憶されている。画像処理装置１００の操作部１０４は、図１１のように、ステップＳ８０１において、記憶部１０２に記憶されている変換できる画像形式の情報に基づいて、変換可能な画像形式を表示する。そして、操作部１０４での操作で、表示された変換可能な画像形式から画像変換部で画像データを変換する場合の画像形式を画像処理装置１００を操作する操作者に指定させる。
【００８０】
画像形式が指定された後、操作部１０４は、ステップＳ８０２において、読み取り部１０１にセットされている媒体に形成されている画像を読み取るように、読み取り指示を出す。
【００８１】
この読み取り指示を受けて、読み取り部１０１は、ステップＳ８０３において、媒体に形成されている画像を読み取り、画像データとする。そして、読み取り部１０１は、読み取った画像データを記憶部１０２に記憶させる。
【００８２】
記憶部１０２に読み取った画像データが記憶された後、操作部１０４は、ステップＳ８０４において、指定した画像形式の情報を画像変換可否判定部１０６に渡し、指定された画像形式への変換を指示する。
【００８３】
操作部１０４から画像データの変換の指示を受けた後、画像変換可否判定部１０６は、ステップＳ８０５において、受け取った画像形式の情報に基づいて、画像処理装置１００の画像変換部１０５で、指定された画像形式への変換が可能であるかを判定する。
【００８４】
ステップＳ８０５において、画像変換可否判定部１０６が指定された画像形式への画像変換が可能である場合、画像変換可否判定部１０６が操作部１０４から受け取った画像形式の情報を画像変換部１０５に渡す。そして、画像変換部１０５は、記憶部１０２に記憶された画像データを読み出す。
【００８５】
そして、容量検出部１１１は、ステップＳ８０６において、画像処理装置１００に備えられているメモリ装置１０９の使用可能な空き記憶容量を検出する。この容量検出部１１１は、検出した空き記憶容量の情報を画像変換部１０５に渡す。
【００８６】
画像データと画像形式の情報と空き記憶容量の情報とを受け取った画像変換部１０５は、ステップＳ８０７において、空き記憶容量の情報と画像形式の情報とに基づいて、その空き記憶容量に見合う容量となるように、画像データを変換し、変換画像データを形成する。
【００８７】
画像データが変換画像データに変換された後、画像処理装置１００は、ステップＳ８０８において、外部Ｉ／Ｆ部１０８の制御によりメモリ装置１０９に変換画像データを記憶させ、この処理を終了する。
【００８８】
ステップＳ８０５において、指定された画像形式への画像変換が画像処理装置１００で不可能である場合、操作部１０４から受け取った画像形式の情報を外部変換指示部１０７に渡す。画像形式の情報を受け取った外部変換指示部１０７は、ステップＳ８０９において、第１の画像変換装置３０１の画像変換部３０２で、指定された画像形式への変換が可能であるかを判定する。
【００８９】
ステップＳ８０９において、第１の画像変換装置３０１で指定された画像形式への画像変換が可能である場合、外部変換指示部１０７は、記憶部１０２に記憶された画像データを受け取る。
【００９０】
そして、容量検出部１１１は、ステップＳ８１０において、画像処理装置１００に備えられているメモリ装置１０９の使用可能な空き記憶容量を検出する。この容量検出部１１１は、検出した空き記憶容量の情報を外部変換指示部１０７に渡す。
【００９１】
画像データと画像形式の情報と空き記憶容量の情報とを受け取った外部変換指示部１０７は、ステップＳ８１１において、ネットワーク３００を介して、画像データと画像形式の情報と空き記憶容量の情報とを第１の画像変換装置３０１に送信し、画像データの変換の指示をする。
【００９２】
後述するように、第１の画像変換装置３０１で、空き記憶容量の情報と画像形式の情報とに基づいて、その空き記憶容量に見合う容量となるように画像データが変換されると、画像処理装置１００は、ステップＳ８１２において、第１の画像変換装置３０１から変換画像データを受信する。
【００９３】
変換された画像データである変換画像データを受信した後、画像処理装置１００は、ステップＳ８０８において、外部Ｉ／Ｆ部１０８の制御によりメモリ装置１０９に変換画像データを記憶させ、この処理を終了する。
【００９４】
ステップＳ８０９において、第１の画像変換装置３０１で指定された画像形式への画像変換が不可能である場合、外部変換指示部１０７は、ステップＳ８１３において、第２の画像変換装置２０１の画像変換部２０２で、指定された画像形式への変換が可能であるかを判定する。
【００９５】
ステップＳ８１３において、指定された画像形式への画像変換が第２の画像変換装置２０１で可能である場合、外部変換指示部１０７は、記憶部１０２に記憶された画像データを受け取る。
【００９６】
そして、容量検出部１１１は、ステップＳ８１４において、画像処理装置１００に備えられているメモリ装置１０９の使用可能な空き記憶容量を検出する。この容量検出部１１１は、検出した空き記憶容量の情報を外部変換指示部１０７に渡す。
【００９７】
画像データと画像形式の情報と空き記憶容量の情報とを受け取った外部変換指示部１０７は、ステップＳ８１５において、ＵＳＢ２００を介して、画像データと画像形式の情報と空き記憶容量の情報とを第２の画像変換装置２０１に送信し、画像データの変換の指示をする。
【００９８】
後述するように、第２の画像変換装置２０１で、空き記憶容量の情報と画像形式の情報とに基づいて、その空き記憶容量に見合う容量となるように画像データが変換されると、画像処理装置１００は、ステップＳ８１６において、第１の画像変換装置３０１から変換画像データを受信する。
【００９９】
変換された画像データである変換画像データを受信した後、画像処理装置１００は、ステップＳ８０８において、外部Ｉ／Ｆ部１０８の制御によりメモリ装置１０９に変換画像データを記憶させ、この処理を終了する。
【０１００】
実施の形態３の画像処理装置１００に接続されている第１の画像変換装置３０１は、画像処理装置１００から指示を受けると、図１２のような手順を従って、変換可能な画像形式の情報の送信、又は、画像データの変換が行われる。
【０１０１】
第１の画像変換装置３０１は、画像処理装置１００から指示を受けると、ステップＳ９０１において、受信した指示が、画像処理装置１００の画像形式取得部１１０からの変換可能な画像形式の情報の送信指示であるか否かを判断する。
【０１０２】
ステップＳ９０１において、送信指示である場合、第１の画像変換装置３０１は、画像変換部３０２で変換できる画像形式を確認する。そして、第１の画像変換装置３０１は、ステップＳ９０２において、画像変換部３０２で変換できる画像形式の情報を画像処理装置１００に送信し、この処理を終了する。
【０１０３】
ステップＳ９０１において、送信指示を受信していない場合、第１の画像変換装置３０１は、ステップＳ９０３において、受信した指示が、画像処理装置１００の外部変換指示部１０７からの画像変換の指示であるか否かを判断する。画像変換の指示でない場合、この処理を終了する。
【０１０４】
ステップＳ９０３において、画像変換の指示である場合、第１の画像変換装置３０１は、画像データと画像形式の情報と空き記憶容量の情報とを画像変換の指示とともに受信している。そして、画像変換部３０２は、ステップＳ９０４において、受信した画像形式の情報と空き記憶容量の情報とに基づいて、その空き記憶容量に見合う容量となるように、画像データを変換し、変換画像データを形成する。
【０１０５】
画像データが変換されると、第１の画像変換装置３０１は、ステップＳ９０５において、ネットワーク３００を介して、変換画像データを画像処理装置１００に送信し、この処理を終了する。
【０１０６】
実施の形態３の画像処理装置１００に接続されている第２の画像変換装置２０１は、画像処理装置１００から指示を受けると、図１３のような手順を従って、変換可能な画像形式の情報の送信、又は、画像データの変換が行われる。
【０１０７】
第２の画像変換装置２０１は、画像処理装置１００から指示を受けると、ステップＳ１００１において、受信した指示が、画像処理装置１００の画像形式取得部１１０からの変換可能な画像形式の情報の送信指示であるか否かを判断する。
【０１０８】
ステップＳ１００１において、送信指示である場合、第２の画像変換装置２０１は、画像変換部２０２で変換できる画像形式を確認する。そして、第２の画像変換装置２０１は、ステップＳ１００２において、画像変換部２０２で変換できる画像形式の情報を画像処理装置１００に送信し、この処理を終了する。
【０１０９】
ステップＳ１００１において、送信指示を受信していない場合、第２の画像変換装置２０１は、ステップＳ１００３において、受信した指示が、画像処理装置１００の外部変換指示部１０７からの画像変換の指示であるか否かを判断する。画像変換の指示でない場合、この処理を終了する。
【０１１０】
ステップＳ１００３において、画像変換の指示である場合、第２の画像変換装置２０１は、画像データと画像形式の情報と空き記憶容量の情報とを画像変換の指示とともに受信している。そして、画像変換部２０２は、ステップＳ１００４において、受信した画像形式の情報と空き記憶容量の情報とに基づいて、その空き記憶容量に見合う容量となるように、画像データを変換し、変換画像データを形成する。
【０１１１】
画像データが変換されると、第２の画像変換装置２０１は、ステップＳ１００５において、ＵＳＢ２００を介して、変換画像データを画像処理装置１００に送信し、この処理を終了する。
【０１１２】
このように、実施の形態３で説明した画像処理装置１００は、容量検出部１１１を備えることで、画像処理装置１００に備えられるメモリ装置１０９の使用可能な空き記憶容量を検知することができる。これにより、この空き記憶容量の情報に基づいて画像変換が可能となるため、通常の画像データの変換では空き記憶容量よりも大きい容量となる場合であっても、変換された変換画像データを記憶することができる。
【０１１３】
［実施の形態４］
実施の形態４で説明する画像処理装置１００は、画像データの変換より形成される変換画像データの容量を事前に把握することができるもので、その構成は、実施の形態２で説明した画像処理装置の構成と同様である。なお、実施の形態２と重複する部材については、同じ番号を付して説明を省略する。
【０１１４】
この実施の形態４で説明する画像処理装置１００では、読み取り部１０１で画像が読み取られると、変換画像データが形成される前に、読み取った画像データを変化可能な全ての画像形式に変換した場合の画像容量を測定するように、操作部１０４から画像変換可否判定部１０６に画像容量計測要求としての依頼が出される。この依頼を受けた画像変換可否判定部１０６は、画像変換部１０５、第１の画像変換装置３０１の画像変換部３０２及び第２の画像変換装置２０１の画像変換部２０２に、画像データを変換した場合の画像容量の予測値の測定を依頼する。このとき、画像変換部１０５で変換可能な全ての画像形式について画像容量の予測値の測定が行われる。測定された画像容量の情報は、記憶部１０２に記憶される。具体的に、実施の形態４で説明する画像処理装置１００は、図１４に示すような手順に従って、画像容量の情報を取得する。
【０１１５】
後述するように、読み取り部１０１で画像が読み取られると、まず、画像処理装置１００の操作部１０４は、ステップＳ１１０１において、画像変換可否判定部１０６に画像データを変換した場合の変換画像データの画像容量を計測するように依頼する。
【０１１６】
画像容量の計測依頼を受けた画像変換可否判定部１０６は、画像変換部１０５に変換画像データの画像容量の予測値を計測するように依頼する。そして、画像変換部１０５は、ステップＳ１１０２において、画像データを記憶部１０２から読み出し、読み出した画像データを変換画像データに変換した場合の画像容量の予測値を計測する。このとき、画像変換部１０５で変換可能な全ての画像形式について画像容量が計測される。
【０１１７】
計測後、画像変換可否判定部１０６は、ステップＳ１１０３において、画像変換部１０５から計測された画像容量の予測値を画像容量の情報として受け取る。そして、画像変換可否判定部１０６は、受け取った画像容量の情報を記憶部１０２に記憶させる。
【０１１８】
次に、画像変換可否判定部１０６は、ステップＳ１１０４において、画像処理装置１００に接続されている第１の画像変換装置３０１と第２の画像変換装置２０１で画像データを変換した場合の変換画像データの画像容量の予測値を計測するように、外部変換指示部１０７に依頼する。
【０１１９】
画像容量の計測依頼を受けた外部変換指示部１０７は、記憶部１０２に記憶された画像データを受け取る。そして、外部変換指示部１０７は、画像データを送信し、第１の画像変換装置３０１に画像変換部３０２に画像データを変換した場合の変換画像データの画像容量の予測値を計測するように依頼する。そして、外部変換指示部１０７は、ステップＳ１１０５において、第１の画像変換装置３０１の画像変換部３０２で計測された画像容量の予測値を画像容量の情報として取得する。外部変換指示部１０７は、取得した画像形式の情報を、記憶部１０２に記憶させる。
【０１２０】
そして、外部変換指示部１０７は、画像データを送信し、第２の画像変換装置２０１に画像変換部２０２に画像データを変換した場合の変換画像データの画像容量の予測値を計測するように依頼する。そして、外部変換指示部１０７は、ステップＳ１１０６において、第２の画像変換装置２０１の画像変換部２０２で計測された画像容量の予測値を画像容量の情報として取得する。外部変換指示部１０７は、取得した画像形式の情報を、記憶部１０２に記憶させる。
【０１２１】
実施の形態４の画像処理装置１００に接続されている第１の画像変換装置３０１は、画像容量の計測依頼を受けると、図１５のような手順を従って、画像容量の予測値の測定が行われる。
【０１２２】
第１の画像変換装置３０１は、ステップＳ１２０１において、画像容量の測定の依頼を受信したかを判断し、画像変換の指示を受け取るまで待機している。
【０１２３】
画像処理装置１００の外部変換指示部１０７から画像データを受信し、画像容量の予測値の計測依頼を受けると、第１の画像変換装置３０１の画像変換部３０２は、ステップＳ１２０２において、受信した画像データを変換画像データに変換した場合の画像容量の予測値を計測する。このとき、画像変換部１０５で変換可能な全ての画像形式について画像容量が計測される。
【０１２４】
画像容量が計測されると、第１の画像変換装置３０１は、ステップＳ１２０３において、ネットワーク３００を介して、画像容量の情報を画像処理装置１００に送信し、この処理を終了する。
【０１２５】
実施の形態４の画像処理装置１００に接続されている第２の画像変換装置２０１は、画像容量の計測依頼を受けると、図１６のような手順を従って、画像容量の予測値の測定が行われる。
【０１２６】
第２の画像変換装置２０１は、ステップＳ１３０１において、画像容量の測定の依頼を受信したかを判断し、画像変換の指示を受け取るまで待機している。
【０１２７】
画像処理装置１００の外部変換指示部１０７から画像データを受信し、画像容量の予測値の計測依頼を受けると、第２の画像変換装置２０１の画像変換部２０２は、ステップＳ１３０２において、受信した画像データを変換画像データに変換した場合の画像容量の予測値を計測する。このとき、画像変換部１０５で変換可能な全ての画像形式について画像容量が計測される。
【０１２８】
画像容量が計測されると、第２の画像変換装置２０１は、ステップＳ１３０３において、ＵＳＢ２００を介して、画像容量の情報を画像処理装置１００に送信し、この処理を終了する。
【０１２９】
このように、実施の形態４で説明する画像処理装置１００は、画像データの所定の画像形式に変換する前に、変換後の変換画像データの画像容量を把握することができる。このような画像処理装置１００は、図１７に示すような手順に従って、読み取った画像データを変換し、メモリ装置１０９に記憶させる。
【０１３０】
まず、画像処理装置１００には、所定の画像が形成された用紙などの媒体が読み取り部１０１にセットされる。そして、画像処理装置１００には、実施の形態２の画像処理装置で説明した図６のような手順により、画像処理装置１００、第１の画像変換装置３０１、又は、第２の画像変換装置２０１で変換できる画像形式が記憶部１０２に記憶されている。画像処理装置１００の操作部１０４は、図１７のように、ステップＳ１４０１において、読み取り部１０１にセットされている媒体に形成されている画像を読み取るように、読み取り指示を出す。
【０１３１】
この読み取り指示を受けて、読み取り部１０１は、ステップＳ１４０２において、媒体に形成されている画像を読み取り、画像データとする。そして、読み取り部１０１は、読み取った画像データを記憶部１０２に記憶させる。
【０１３２】
記憶部１０２に読み取った画像データが記憶された後、操作部１０４は、上述のように、画像変換可否判定部１０６に画像データが変換可能な全ての画像形式に変換された場合の画像容量の予測値を測定するように、図１４に示した依頼処理を実行する。これにより、画像容量の情報を記憶部１０２に記憶させることができる。
【０１３３】
画像容量の情報を記憶部１０２に記憶させた後、画像処理装置１００は、ステップＳ１４０４において、記憶部に記憶されている変換できる画像形式の情報に基づいて変換可能な画像形式と、その画像形式に対応させるように画像容量の情報を操作部１０４に表示させる。そして、操作部１０４での操作で、表示された変換可能な画像形式と画像容量とから画像変換部で画像データを変換する場合の画像形式を、画像処理装置１００を操作する操作者に指定させる。
【０１３４】
画像形式が指定された後、操作部１０４は、ステップＳ１４０５において、指定した画像形式の情報及び画像容量の情報を画像変換可否判定部１０６に渡し、指定された画像形式への変換を指示する。
【０１３５】
操作部１０４から画像データの変換の指示を受けた後、画像変換可否判定部１０６は、ステップＳ１４０６において、受け取った画像形式の情報に基づいて、画像処理装置１００の画像変換部１０５で、指定された画像形式への変換が可能であるかを判定する。
【０１３６】
ステップＳ１４０６において、画像変換可否判定部１０６が指定された画像形式への画像変換が可能である場合、画像変換可否判定部１０６が操作部１０４から受け取った画像形式の情報及び画像容量の情報を画像変換部１０５に渡す。そして、画像変換部１０５は、記憶部１０２に記憶された画像データを読み出す。画像データと画像形式の情報とを受け取った画像変換部１０５は、ステップＳ１４０７において、指定された画像形式の情報及び画像容量の情報に基づいて、画像データを変換し、変換画像データを形成する。
【０１３７】
画像データが変換画像データに変換された後、画像処理装置１００は、ステップＳ１４０８において、外部Ｉ／Ｆ部１０８の制御によりメモリ装置１０９に変換画像データを記憶させ、この処理を終了する。
【０１３８】
ステップＳ１４０６において、指定された画像形式への画像変換が画像処理装置１００で不可能である場合、操作部１０４から受け取った画像形式の情報及び画像容量の情報を外部変換指示部１０７に渡す。画像形式の情報及び画像容量の情報を受け取った外部変換指示部１０７は、ステップＳ１４０９において、第１の画像変換装置３０１の画像変換部３０２で、指定された画像形式への変換が可能であるかを判定する。
【０１３９】
ステップＳ１４０９において、第１の画像変換装置３０１で指定された画像形式への画像変換が可能である場合、外部変換指示部１０７は、記憶部１０２に記憶された画像データを受け取る。そして、外部変換指示部１０７は、ステップＳ１４１０において、ネットワーク３００を介して、画像データと画像形式の情報と画像容量の情報とを第１の画像変換装置３０１に送信し、画像データの変換の指示をする。
【０１４０】
後述するように、第１の画像変換装置３０１で画像データが変換されると、画像処理装置１００は、ステップＳ１４１１において、第１の画像変換装置３０１から変換画像データを受信する。
【０１４１】
変換された画像データである変換画像データを受信した後、画像処理装置１００は、ステップＳ１４０８において、外部Ｉ／Ｆ部１０８の制御によりメモリ装置１０９に変換画像データを記憶させ、この処理を終了する。
【０１４２】
ステップＳ１４０９において、第１の画像変換装置３０１で指定された画像形式への画像変換が不可能である場合、外部変換指示部１０７は、ステップＳ１４１２において、第２の画像変換装置２０１の画像変換部２０２で、指定された画像形式への変換が可能であるかを判定する。
【０１４３】
ステップＳ１４１２において、指定された画像形式への画像変換が第２の画像変換装置２０１で可能である場合、外部変換指示部１０７は、記憶部１０２に記憶された画像データを受け取る。そして、外部変換指示部１０７は、ステップＳ１４１３において、ＵＳＢ２００を介して、画像データと画像形式の情報と画像容量の情報とを第２の画像変換装置２０１に送信し、画像データの変換の指示をする。
【０１４４】
後述するように、第２の画像変換装置２０１で画像データが変換されると、画像処理装置１００は、ステップＳ１４１４において、第１の画像変換装置３０１から変換画像データを受信する。
【０１４５】
変換された画像データである変換画像データを受信した後、画像処理装置１００は、ステップＳ１４０８において、外部Ｉ／Ｆ部１０８の制御によりメモリ装置１０９に変換画像データを記憶させ、この処理を終了する。
【０１４６】
実施の形態４の画像処理装置１００に接続されている第１の画像変換装置３０１は、画像処理装置１００から指示を受けると、図１８のような手順を従って、変換可能な画像形式の情報の送信、又は、画像データの変換が行われる。
【０１４７】
第１の画像変換装置３０１は、画像処理装置１００から指示を受けると、ステップＳ１５０１において、受信した指示が、画像処理装置１００の画像形式取得部１１０からの変換可能な画像形式の情報の送信指示であるか否かを判断する。
【０１４８】
ステップＳ１５０１において、送信指示である場合、第１の画像変換装置３０１は、画像変換部３０２で変換できる画像形式を確認する。そして、第１の画像変換装置３０１は、ステップＳ１５０２において、画像変換部３０２で変換できる画像形式の情報を画像処理装置１００に送信し、この処理を終了する。
【０１４９】
ステップＳ１５０１において、送信指示を受信していない場合、第１の画像変換装置３０１は、ステップＳ１５０３において、受信した指示が、画像処理装置１００の外部変換指示部１０７からの画像変換の指示であるか否かを判断する。画像変換の指示でない場合、この処理を終了する。
【０１５０】
ステップＳ１５０３において、画像変換の指示である場合、第１の画像変換装置３０１は、画像データと画像形式の情報と画像容量の情報とを画像変換の指示とともに受信している。そして、画像変換部３０２は、ステップＳ１５０４において、受信した画像形式の情報及び画像容量の情報に基づいて、画像処理装置１００で指定された画像形式及び画像容量となるように、受信した画像データから変換画像データに変換する。
【０１５１】
画像データが変換されると、第１の画像変換装置３０１は、ステップＳ１５０５において、ネットワーク３００を介して、変換画像データを画像処理装置１００に送信し、この処理を終了する。
【０１５２】
実施の形態４の画像処理装置１００に接続されている第２の画像変換装置２０１は、画像処理装置１００から指示を受けると、図１９のような手順を従って、変換可能な画像形式の情報の送信、又は、画像データの変換が行われる。
【０１５３】
第２の画像変換装置２０１は、画像処理装置１００から指示を受けると、ステップＳ１６０１において、受信した指示が、画像処理装置１００の画像形式取得部１１０からの変換可能な画像形式の情報の送信指示であるか否かを判断する。
【０１５４】
ステップＳ１６０１において、送信指示である場合、第２の画像変換装置２０１は、画像変換部３０２で変換できる画像形式を確認する。そして、第２の画像変換装置２０１は、ステップＳ１６０２において、画像変換部２０２で変換できる画像形式の情報を画像処理装置１００に送信し、この処理を終了する。
【０１５５】
ステップＳ１６０１において、送信指示を受信していない場合、第２の画像変換装置２０１は、ステップＳ１６０３において、受信した指示が、画像処理装置１００の外部変換指示部１０７からの画像変換の指示であるか否かを判断する。画像変換の指示でない場合、この処理を終了する。
【０１５６】
ステップＳ１６０３において、画像変換の指示である場合、第２の画像変換装置２０１は、画像データと画像形式の情報と画像容量の情報とを画像変換の指示とともに受信している。そして、画像変換部２０２は、ステップＳ１６０４において、受信した画像形式の情報及び画像容量の情報に基づいて、画像処理装置１００で指定された画像形式及び画像容量となるように、受信した画像データから変換画像データに変換する。
【０１５７】
画像データが変換されると、第２の画像変換装置２０１は、ステップＳ１６０５において、ＵＳＢ２００を介して、変換画像データを画像処理装置１００に送信し、この処理を終了する。
【０１５８】
このように、実施の形態４で説明した画像処理装置１００は、画像データの変換より形成される変換画像データの容量を事前に把握することができる。これにより、操作者は、操作部１０４で画像データを変換する画像形式を指定する場合に、変換可能な画像形式とその画像形式に対応する変換後の画像容量を確認して、画像形式を選択することができ、利便性が向上する。
【０１５９】
本発明の画像処理装置は、画像を読み取る読み取り部１０１を備えるものであればよく、実施の形態１乃至４で説明した画像処理装置１００に限定されるものではない。例えば、本発明の画像処理装置は、スキャナ、複合機に適用可能である。
【０１６０】
また、本発明の画像処理装置は、操作部１０４にて画像データを変換する画像形式を指定したが、接続された外部の第１の画像変換装置３００、第２の画像変換装置３００により画像データを変換する画像形式が指定されてもよい。この場合、指定された画像形式がネットワーク３００、ＵＳＢ２００を介して画像処理装置１００に入力され、入力された画像形式に基づいて、上述の各処理が行われる。
【図面の簡単な説明】
【０１６１】
【図１】実施の形態１で説明する本発明の画像処理装置の構成を示すブロック図である。
【図２】実施の形態１で説明する本発明の画像処理装置の動作手順を示す図である。
【図３】実施の形態１で説明する本発明の画像処理装置に接続される第１の画像変換装置の動作手順を示す図である。
【図４】実施の形態１で説明する本発明の画像処理装置に接続される第２の画像変換装置の動作手順を示す図である。
【図５】実施の形態２で説明する本発明の画像処理装置の構成を示すブロック図である。
【図６】変換可能な画像形式を取得する場合の実施の形態２で説明する本発明の画像処理装置の動作手順を示す図である。
【図７】実施の形態２で説明する本発明の画像処理装置の動作手順を示す図である。
【図８】実施の形態２で説明する本発明の画像処理装置に接続される第１の画像変換装置の動作手順を示す図である。
【図９】実施の形態２で説明する本発明の画像処理装置に接続される第２の画像変換装置の動作手順を示す図である。
【図１０】実施の形態３で説明する本発明の画像処理装置の構成を示すブロック図である。
【図１１】実施の形態３で説明する本発明の画像処理装置の動作手順を示す図である。
【図１２】実施の形態３で説明する本発明の画像処理装置に接続される第１の画像変換装置の動作手順を示す図である。
【図１３】実施の形態３で説明する本発明の画像処理装置に接続される第２の画像変換装置の動作手順を示す図である。
【図１４】画像容量を取得する場合の実施の形態４で説明する本発明の画像処理装置の動作手順を示す図である。
【図１５】画像容量を取得する場合の実施の形態４で説明する本発明の画像処理装置に接続される第１の画像変換装置の動作手順を示す図である。
【図１６】画像容量を取得する場合の実施の形態４で説明する本発明の画像処理装置に接続される第２の画像変換装置の動作手順を示す図である。
【図１７】実施の形態４で説明する本発明の画像処理装置の動作手順を示す図である。
【図１８】実施の形態４で説明する本発明の画像処理装置に接続される第１の画像変換装置の動作手順を示す図である。
【図１９】実施の形態４で説明する本発明の画像処理装置に接続される第２の画像変換装置の動作手順を示す図である。
【符号の説明】
【０１６２】
１００  画像処理装置
１０１  読み取り部
１０２  記憶部
１０３  ＮＩＣ部
１０４  操作部
１０５  画像変換部
１０６  画像変換可否判定部
１０７  外部変換指示部
１０８  外部Ｉ／Ｆ部
１０９  メモリ装置
１１０  画像形式取得部
１１１  容量検出部
２００  ＵＳＢ
２０１  画像変換装置
２０２  画像変換部
２０３  ＮＩＣ部
３００  ネットワーク
３０１  画像変換装置
３０２  画像変換部
３０３  外部Ｉ／Ｆ部
【図１】
2008067283.tif 000003
【図２】
2008067283.tif 000004
【図３】
2008067283.tif 000005
【図４】
2008067283.tif 000006
【図５】
2008067283.tif 000007
【図６】
2008067283.tif 000008
【図７】
2008067283.tif 000009
【図８】
2008067283.tif 000010
【図９】
2008067283.tif 000011
【図１０】
2008067283.tif 000012
【図１１】
2008067283.tif 000013
【図１２】
2008067283.tif 000014
【図１３】
2008067283.tif 000015
【図１４】
2008067283.tif 000016
【図１５】
2008067283.tif 000017
【図１６】
2008067283.tif 000018
【図１７】
2008067283.tif 000019
【図１８】
2008067283.tif 000020
【図１９】
2008067283.tif 000021